(57)【特許請求の範囲】
【請求項１】
ガスボンベから供給されるガスを燃料として動作するガスエンジンと、ガスボンベを着脱自在に保持するガスボンベ保持部と、ガスエンジンの排気音を消音するマフラとを備える歩行型農作業機であって、
該歩行型農作業機の機体上部に、ガスボンベ保持部及びマフラを配置すると共に、ガスボンベ保持部及びマフラの上方をカバー体で覆うにあたり、ガスボンベを、ガスボンベ保持部の一側部から着脱すべく構成すると共に、ガスボンベ保持部の一側部をカバー体の外部に張り出して配置したことを特徴とする歩行型農作業機。
【発明の詳細な説明】
【技術分野】
【０００１】
本発明は、ガスエンジンが搭載された歩行型農作業機に関する。
【背景技術】
【０００２】
ガスエンジンが搭載された歩行型農作業機が知られている。例えば、特許文献１に示される歩行型農作業機は、ガスボンベから供給されるガスを燃料として動作するガスエンジンと、ガスボンベを着脱自在に保持するガスボンベ保持部と、ガスエンジンの排気音を消音するマフラとを備えており、ガスボンベ保持部は、機体上部に配置されると共に、マフラと一緒にカバー体で覆われている。
【特許文献１】特開平１１−１７０８７６号公報
【発明の開示】
【発明が解決しようとする課題】
【０００３】
上記のような歩行型農作業機によれば、カバー体の内部がマフラの熱などで加温されるので、ガスボンベに充填されるガスの気化効率が向上するという利点がある反面、ガスボンベを交換する度にカバー体の開閉操作が必要になり、ガスボンベの交換作業性に劣るという問題がある。
【課題を解決するための手段】
【０００４】
本発明は、上記の如き実情に鑑みこれらの課題を解決することを目的として創作されたものであって、ガスボンベから供給されるガスを燃料として動作するガスエンジンと、ガスボンベを着脱自在に保持するガスボンベ保持部と、ガスエンジンの排気音を消音するマフラとを備える歩行型農作業機であって、該歩行型農作業機の機体上部に、ガスボンベ保持部及びマフラを配置すると共に、ガスボンベ保持部及びマフラの上方をカバー体で覆うにあたり、ガスボンベを、ガスボンベ保持部の一側部から着脱すべく構成すると共に、ガスボンベ保持部の一側部をカバー体の外部に張り出して配置したことを特徴とする。このようにすると、ガスボンベ保持部及びマフラの上方をカバー体で覆うものでありながら、カバー体を開閉することなく、ガスボンベの交換が可能になるので、ガスボンベの交換作業性を向上させることができる。
【発明を実施するための最良の形態】
【０００５】
次に、本発明の実施形態について、図面に基づいて説明する。図１〜図３において、１は歩行型農作業機の一例として示す歩行型管理機であって、該歩行型管理機１は、車輪、耕耘爪等の回転体２が設けられる車軸２ａと、車軸２ａを左右に軸支するミッションケース３と、ミッションケース３から後方上方に向けて延出する二股状のハンドル４と、ミッションケース３の中途部に取付固定される機台フレーム５と、機台フレーム５に搭載されるガスエンジン６とを備えて構成されている。尚、本実施形態の歩行型管理機１では、回転体２を複数の耕耘爪からなる車軸装着型の口一タリ耕耘体としている。
【０００６】
歩行型管理機１は、ガスエンジン６のエンジン動力をベルトカバー７内のベルト伝動機構を介してミッションケース３に伝動している。ガスエンジン６は、後述するガスボンベ保持部１２にセットされるカセット型のガスボンベ８から供給されるガスを燃料として動作するように構成されている。また、ベルトカバー７内のベルト伝動機構は、ベルトテンションクラッチを構成しており、ハンドル４の左側に設けた主クラッチレバー９の操作に応じて動力伝動を入り切り可能である。また、ハンドル４の右側には、ガスエンジン６の回転数を調節するためのアクセルレバー１０を設けている。尚、１１はミッションケース３の後部に着脱自在に取付けられる耕耘抵抗棒であり、機体を立姿勢を保持するスタンドとしても機能するようになっている。
【０００７】
次に、ガスエンジン６の前部上方でガスボンベ８を着脱自在に保持するガスボンベ保持部１２について、図１〜図４を参照して説明する。ガスボンベ保持部１２は、ガスボンベ８を収容する円筒状のボンベケース１３と、ボンベケース１３を横向に支持する支持部材１５と、支持部材１５の左右に下向きに突設した複数の支持脚１６とを備えており、複数の支持脚１６がボルト１７を用いてエンジンケース６ａに固定されている。
【０００８】
支持部材１５は、側面視凵字状に屈曲形成された板部材からなり、略平行な前片１８と後片１９を一体的に有している。そして、支持部材１５の凹部内には、ボンベケース１３を取付固定し、前片１８の前側には、バンパ部材２０を取付け、後片１９の後側には、空間部カバー２１を取付けるようにしている。尚、２２はバンパ部材２０や空間部カバー２１を支持部材１５に固定するためのネジである。
【０００９】
ガスボンベ保持部１２の後方には、エンジンの排気音を消音するマフラ２３が配置されており、ガスボンベ保持部１２とマフラ２３との間に確保される遮熱用空間Ｋの上方及び左右側方を正面視冂字状の空間部カバー２１で覆っている。また、空間部カバー２１は、エンジンケース６ａの上部に設けられる操作部材等の設置品６ｃを保護する保護部材にも兼用されている。
【００１０】
マフラ２３は、エンジンケース６ａの排気口から上方に向けて屈曲させた排気管６ｂの上端部に設けられると共に、下部が開口した箱状のマフラカバー２４で上方及び周囲が覆われている。また、空間部カバー２１の右側端部には、段部２１ａを介して配管カバー部２５が一体的に延設されている。この配管カバー部２５は、ボンベケース１３の右端に構成されるボンベ接続部２６から延出する燃料供給管２７の上方及び側方を囲うように覆っている。
【００１１】
ボンベケース１３は、ガスボンベ８を横向に収容する筒状のケース本体１３ａの左端を開口させて、蓋２９を開閉自在に設ける出入口１３ｂを形成すると共に、右端にボンベ接続部２６を構成して閉鎖し、該ボンベ接続部２６の外側に燃料供給管２７を接続して構成されており、ガスボンベ８内のガスをボンベ接続部２６及び燃料供給管２７を介してガスエンジン６に供給するようになっている。
【００１２】
上記構成により出入口１３ｂからボンベケース１３内に挿入したガスボンベ８は、ノズル部をボンベ接続部２６に接続した状態で蓋２９を閉じることにより、ボンベケース１３内で安定よく保持される。また、ガスボンベ８の取り出しは、蓋２９を開き逆順の動作によって新たなものと簡単に交換することができる。
【００１３】
次に、本発明の特徴的な構成について、図１を参照して説明する。本発明の実施形態に係る歩行型管理機１には、ガスボンベ保持部１２及びマフラ２３（マフラカバー２４）の上方を開閉自在（着脱自在）に覆うカバー体（ボンネット）３０が設けられている。カバー体３０は、例えば、樹脂製のカバー部材からなり、ガスボンベ保持部１２及びマフラ２３を一緒に覆うことによって、カバー体３０の内部温度をマフラ２３の熱を利用して適度に加温し、ガスボンベ８に充填されるガスの気化効率を向上させることができる。
【００１４】
本発明においては、ガスボンベ保持部１２及びマフラ２３の上方をカバー体３０で覆うにあたり、ガスボンベ８を、ガスボンベ保持部１２の一側部（出入口１３ｂ）から着脱すべく構成すると共に、ガスボンベ保持部１２の一側部をカバー体３０の外部に張り出して配置する構成としてある。このようにすると、ガスボンベ保持部１２及びマフラ２３の上方をカバー体３０で覆うものでありながら、カバー体３０を開閉することなく、ガスボンベ８の交換が可能になるので、ガスボンベ８の交換作業性を向上させることができる。
【００１５】
本実施形態のカバー体３０は、後端部の左右両側に切欠き部３０ａを有し、該切欠き部３０ａを介してマフラ２３（マフラカバー２４）の一部を露出させるようにしてある。このようにすると、マフラ２３（マフラカバー２４）全体を覆う場合に比してカバー体３０をコンパクトに構成できるだけでなく、カバー体３０の内部温度が過度に上昇することを防止できる。
【００１６】
さらに、本実施形態のカバー体３０は、前端部に別部材（金属プレート等）からなるガード部材３１を備えている。このようなガード部材３１を設けると、障害物との当接によるカバー体３０の破損を防止できるだけでなく、カバー体３０の剛性を高めてガスボンベ保持部１２を強固にガードすることができる。尚、本実施形態では、カバー体３０の内部に空間部カバー２１を備えるが、空間部カバー２１は省いてもよい。
【００１７】
叙述の如く構成された本実施形態によれば、ガスボンベ８から供給されるガスを燃料として動作するガスエンジン６と、ガスボンベ８を着脱自在に保持するガスボンベ保持部１２と、ガスエンジン６の排気音を消音するマフラ２３とを備える歩行型管理機１であって、該歩行型管理機１の機体上部に、ガスボンベ保持部１２及びマフラ２３を配置すると共に、ガスボンベ保持部１２及びマフラ２３の上方をカバー体３０で覆うにあたり、ガスボンベ８を、ガスボンベ保持部１２の一側部から着脱すべく構成すると共に、ガスボンベ保持部１２の一側部をカバー体３０の外部に張り出して配置したので、ガスボンベ保持部１２及びマフラ２３の上方をカバー体３０で覆うものでありながら、カバー体３０を開閉することなく、ガスボンベ８の交換が可能になり、その結果、ガスボンベ８の交換作業性を向上させることができる。
【図面の簡単な説明】
【００１８】
【図１】歩行型管理機の全体斜視図である。
【図２】カバー体を外した歩行型管理機の全体側面図である。
【図３】カバー体を外した歩行型管理機の全体平面図である。
【図４】カバー体を外した歩行型管理機の要部側断面図である。
【符号の説明】
【００１９】
１      歩行型管理機
６      ガスエンジン
８      ガスボンベ
１２    ガスボンベ保持部
１３ａ  ケース本体
１３    ボンベケース
１３ｂ  出入口
２３    マフラ
２４    マフラカバー
２９    蓋
３０    カバー体
３０ａ  切欠き部
３１    ガード部材
【図１】
0005063460.tif 000002
【図２】
0005063460.tif 000003
【図３】
0005063460.tif 000004
【図４】
0005063460.tif 000005